(57)【要約】【課題】異音の発生を抑制することができる給紙装置、原稿読取装置、及び画像形成装置を提供する。【解決手段】原稿搬送装置３１０は、原稿を搬送する搬送ロール３１４と、搬送ロール３１４に接触し、搬送ロール３１４との間で用紙を分離する分離部材４１０と、分離部材４１０を支持する支持部材４１２とを有し、分離部材４１０は、原稿搬送方向において上流側が支持部材４１２に固定され、下流側が用紙搬送方向に延び縮み可能であるように支持される。また、原稿搬送装置３１０は、分離部材４１０の、支持部材４１２から離れる方向への移動を規制する規制部材４１４をさらに有する。【選択図】図３
2010076902.tif 000002
【特許請求の範囲】
【請求項１】
用紙を搬送する搬送ロールと、
前記搬送ロールに接触し、前記搬送ロールとの間で用紙を分離する分離部材と、
前記分離部材を支持する支持部材と、
を有し、
前記分離部材は、用紙搬送方向において上流側が前記支持部材に固定され、下流側が用紙搬送方向に伸び縮み可能であるように前記支持部材に支持されている給紙装置。
【請求項２】
前記分離部材の、前記支持部材から離れる方向への移動を規制する規制手段をさらに有する請求項１記載の給紙装置。
【請求項３】
前記分離部材の伸び縮み可能な部分と前記支持部材との間に設けられ、前記分離部材の伸び縮みを潤滑にする潤滑手段をさらに有する請求項１又は２記載の給紙装置。
【請求項４】
原稿搬送装置と、
前記原稿搬送装置によって搬送される原稿を読み取る原稿読取部と、
を有し、
前記原稿搬送装置は、
原稿を搬送する搬送ロールと、
前記搬送ロールに接触し、前記搬送ロールとの間で原稿を分離する分離部材と、
前記分離部材を支持する支持部材と、
を有し、
前記分離部材は、原稿搬送方向において上流側が前記支持部材に固定され、下流側が原稿搬送方向に伸び縮み可能であるように前記支持部材に支持されている原稿読取装置。
【請求項５】
用紙を供給する給紙装置と、
前記給紙装置によって供給された用紙に画像を形成する画像形成部と、
を有し、
前記給紙装置は、
用紙を搬送する搬送ロールと、
前記搬送ロールに接触し、前記搬送ロールとの間で用紙を分離する分離部材と、
前記分離部材を支持する支持部材と、
を有し、
前記分離部材は、用紙搬送方向において上流側が前記支持部材に固定され、下流側が用紙搬送方向に伸び縮み可能であるように前記支持部材に支持されている画像形成装置。
【発明の詳細な説明】
【技術分野】
【０００１】
本発明は、給紙装置、原稿読取装置、及び画像形成装置に関する。
【背景技術】
【０００２】
特許文献１には、給紙装置本体に回転可能に設けられた給紙ローラと、給紙装置本体に前記スライド可能に設けられ、前記給紙ローラに当接する分離パッドを支持するパッドホルダと、このパッドホルダを前記給紙ローラの方へ付勢して前記分離パッドを前記給紙ローラへ押圧する付勢手段とを少なくとも備えている給紙装置において、前記パッドホルダの前記分離パッド支持位置であって、前記給紙ローラと前記分離パッドとが当接するニップ部に対応する前記パッドホルダの位置に、溝部が形成されており、前記分離パッドの底面のうち、前記溝部に対向する底面部位が前記パッドホルダに密着されなく、前記分離パッドの底面のうち、前記溝部に対向する底面部位以外の底面部位が前記パッドホルダに密着されている給紙装置が開示されている。
【０００３】
特許文献２には、給紙回転体と、分離パッドを保持して前記給紙回転体に向けて該分離パッドを付勢する分離パッドホルダと、該分離パッドホルダを回動自在に支持するホルダ支 持部とを備え、前記給紙回転体と前記分離パッドとの間でシートを一枚ずつ分離して送り出すための給紙装置において、前記ホルダ支持部と前記分離パッドホルダのうち前記ホルダ支持部に支持される部分との間に介在して前記分離パッドホルダの振動を吸収する振動吸収体を備えた給紙装置が開示されている。
【０００４】
【特許文献１】特開２００４−３３１３８1号公報
【特許文献２】特開２００２−３０８４５７号公報
【発明の開示】
【発明が解決しようとする課題】
【０００５】
本発明は、異音の発生を抑制することができる給紙装置、原稿読取装置、及び画像形成装置を提供することを目的とする。
【課題を解決するための手段】
【０００６】
請求項１に係る本発明は、用紙を搬送する搬送ロールと、前記搬送ロールに接触し、前記搬送ロールとの間で用紙を分離する分離部材と、前記分離部材を支持する支持部材と、を有し、前記分離部材は、用紙搬送方向において上流側が前記支持部材に固定され、下流側が用紙搬送方向に伸び縮み可能であるように前記支持部材に支持されている給紙装置である。
【０００７】
請求項２に係る本発明は、前記分離部材の、前記支持部材から離れる方向への移動を規制する規制手段をさらに有する請求項１記載の給紙装置である。
【０００８】
請求項３に係る本発明は、前記分離部材の伸び縮み可能な部分と前記支持部材との間に設けられ、前記分離部材の伸び縮みを潤滑にする潤滑手段をさらに有する請求項１又は２記載の給紙装置である。
【０００９】
請求項４に係る本発明は、原稿搬送装置と、前記原稿搬送装置によって搬送される原稿を読み取る原稿読取部と、を有し、前記原稿搬送装置は、原稿を搬送する搬送ロールと、前記搬送ロールに接触し、前記搬送ロールとの間で原稿を分離する分離部材と、前記分離部材を支持する支持部材と、を有し、前記分離部材は、原稿搬送方向において上流側が前記支持部材に固定され、下流側が原稿搬送方向に伸び縮み可能であるように前記支持部材に支持されている原稿読取装置である。
【００１０】
請求項５に係る本発明は、用紙を供給する給紙装置と、前記給紙装置によって供給された用紙に画像を形成する画像形成部と、を有し、前記給紙装置は、用紙を搬送する搬送ロールと、前記搬送ロールに接触し、前記搬送ロールとの間で用紙を分離する分離部材と、前記分離部材を支持する支持部材と、を有し、前記分離部材は、用紙搬送方向において上流側が前記支持部材に固定され、下流側が用紙搬送方向に伸び縮み可能であるように前記支持部材に支持されている画像形成装置である。
【発明の効果】
【００１１】
請求項１に係る本発明によれば、異音の発生を抑制することができる給紙装置を提供することができる。
【００１２】
請求項２に係る本発明によれば、請求項１に係る本発明が奏する効果に加えて、破損が生じにくい給紙装置を提供することができる。
【００１３】
請求項３に係る本発明によれば、請求項１又は２に係る本発明が奏する効果に加えて、異音の発生をさらに抑制することができる給紙装置を提供することができる。
【００１４】
請求項４に係る本発明によれば、異音の発生を抑制することができる原稿読取装置を提供することができる。
【００１５】
請求項５に係る本発明によれば、異音の発生を抑制することができる画像形成装置を提供することができる。
【発明を実施するための最良の形態】
【００１６】
次に、本発明を実施するための最良の形態を図面を参照して説明する。
図１には、本発明の実施形態に係る画像形成装置１０が示されている。図１に示されるように、画像形成装置１０は、画像形成ユニット１００と、原稿読取装置３００とを有する。
【００１７】
画像形成ユニット１００は、画像形成ユニット本体１０２を有し、画像形成ユニット本体１０２の上部が画像形成がなされた用紙が排出される排出部１０４として用いられている。また、画像形成ユニット本体１０２内には、原稿読取装置３００から入力された画像信号に基づき画像を形成する部分である画像形成部１０８と、画像形成部１０８に用紙を供給する給紙装置１３２と、同じく画像形成部１０８に用紙を供給する給紙装置１５０とが装着されている。
【００１８】
画像形成部１０８は、像保持体として用いられる感光体ドラム１１０と、感光体ドラム１１０を帯電する帯電装置１１２と、帯電装置１１２によって帯電された感光体ドラム１１０に光を照射して静電潜像を形成する潜像形成装置１１４と、潜像形成装置１１４によって感光体ドラム１１０の表面に形成された静電潜像をトナーを用いて現像してトナー像を形成する現像装置１１６と、形成されたトナー像を用紙に転写する転写装置１１８と、感光体ドラム１１０の表面をクリーニングするクリーニング装置１２０と、転写装置１１８によって転写されたトナー像を用紙に定着する定着装置１２２とを有する。
【００１９】
給紙装置１３２は、例えばカセットからなる用紙収納部材１３４と、用紙収納部材１３４に収納された用紙を、画像形成部１０８に向けて搬送する搬送ロール１３６と、搬送ロール１３６に接触し、搬送ロール１３６との間で用紙を分離する分離部材１３８と、分離部材１３８を支持する支持部材１４０とを有する。
【００２０】
給紙装置１５０は、画像形成ユニット本体１０２の外部から用紙を挿入することができるように画像形成ユニット本体１０２に対して開閉可能に装着され、画像形成ユニット本体１０２の外部から挿入された用紙を収納する収納部１５２と、収納部１５２に収納された用紙を画像形成部１０８に向けて搬送する搬送ロール１５４と、搬送ロール１５４に接触し、搬送ロール１５４との間で用紙を分離する分離部材１５６と、分離部材１５６を支持する支持部材１５８とを有する。
【００２１】
また、画像形成ユニット本体１０２内には、給紙装置１３２又は給紙装置１５０から供給された用紙を、排出部１０４に向けて搬送する搬送路１３０が形成されていて、搬送路１３０に沿って、用紙の搬送方向上流側から順に、レジストロール１６０と、先述の感光体ドラム１１０及び転写装置１１８と、定着装置１２２と、排出ロール１８２とが装着されている。レジストロール１６０は、停止した状態から所定のタイミングで回転を開始し、感光体ドラム１１０にトナー像が形成されるタイミングと合致するように、感光体ドラム１１０と転写装置１１８との接触部に用紙を供給する。
【００２２】
図２には、原稿読取装置３００が示されている。
図２に示されるように、原稿読取装置３００は、原稿読取装置本体３０２を有し、原稿読取装置本体３０２に、読み取りがなされる原稿が置かれる原稿台３０４と、読み取りが終わった原稿が排出される排出台３０６とが設けられている。原稿読取装置本体３０２は、原稿読取装置本体３０２ｂと、原稿読取装置本体３０２ｂから、例えば上方に向けて取り外すことができる原稿読取装置本体３０２ａとを有している。
【００２３】
また、原稿読取装置３００は、原稿（用紙）を搬送する原稿搬送装置３１０と、原稿搬送装置３１０によって搬送される原稿を読み取る原稿読取部３６０とを有し、原稿読取装置本体３０２内には、原稿台３０４から排出台３０６に向けて原稿が搬送される搬送路３０８が形成されている。
原稿搬送装置３１０は、送り出しロール３１２と、搬送ロール３１４と、搬送ロール３２０と、搬送ロール３２２と、排出ロール３２４とを有し、これらの部材が、搬送路３０８の上流側から下流側に向けて順番に配置されている。また、原稿搬送装置３１０は、搬送ロール３１４に接触し、搬送ロール３１４との間で原稿を分離する分離部材４１０を有する。
【００２４】
送り出しロール３１２は、原稿台３０４に載せられた原稿を、搬送ロール３１４と分離部材４１０との接触部に向けて送り出すために用いられる。搬送ロール３１４、搬送ロール３２０、及び搬送ロール３２２は、それぞれが原稿を原稿搬送方向下流側に向けて搬送するために用いられる。排出ロール３２４は、原稿を排出台３０６に排出するために用いられる。送り出しロール３１２と、搬送ロール３１４と、搬送ロール３２０とは、原稿読取装置本体３０２ａ側に装着されている。このため、原稿読取装置本体３０２ａを取り外すと、送り出しロール３１２と、搬送ロール３１４と、搬送ロール３２０とが搬送路３０８から離間した状態となり、搬送路３０８が開放される。
【００２５】
搬送ロール３１４は、少なくとも用紙の搬送に用いられる外周面部分の材質が、ＥＰＤＭ、ウレタンゴム、シリコーンゴム等のゴムからなり、原稿を搬送するために十分に大きい摩擦係数を有している。また、分離部材４１０は、搬送ロール３１４と同様に、ＥＰＤＭ、ウレタンゴム、シリコーンゴム等のゴムからなり、原稿を分離するために十分に大きい摩擦係数を有するとともに、原稿の搬送方向に向けて伸び縮みするために十分な弾性を有している。
【００２６】
原稿読取部３６０は、例えばガラス等の光を透過する材質からなる光透過部材３６２と、光照射装置３６４と、例えばレンズ等からなる光学系３６６と、画像読取センサ３６８とを有する。原稿読取部３６０では、光照射装置３６４から光透過性部材３６２に向けて照射された光が光透過性部材３６２の上方を搬送中の原稿により反射され、原稿によって反射された光が、光学系３６６によって画像読取センサ３６８に結像され、画像読取センサ３６８によって原稿の画像が読み取られる。
【００２７】
図３には、原稿搬送装置３１０の分離部材４１０の周辺が拡大して示されている。
図３に示されるように、分離部材４１０は、支持部材４１２によって支持されている。より具体的には、原稿の搬送方向における上流側４１０ｂが、支持部材４１２に対して、例えば両面テープで貼り付けることで固定されている。一方、分離部材４１０の原稿搬送方向における下流側４１０ａは、支持部材４１２に支持されているが固定されていない。そして、搬送ロール３１４は、分離部材４１０の下流側４１０ａに接触している。
【００２８】
このため、例えば、原稿の送り出し中に、分離部材４１０が原稿搬送方向に伸び縮みするために振動等を原因とする異音の発生が抑制される。振動の抑制を確認するために発明者が行った実験については後述する。
【００２９】
分離部材４１０の、例えば原稿搬送方向における下流側の端部には、規制手段として用いられる規制部材４１４が装着されている。規制部材４１４は、図３（ｂ）に示すように、分離部材４１０の、支持部材４１２から離れる方向への移動を規制している。このため、例えば、図３（ｂ）に示されるように分離部材４１０と接触する搬送ロール３１４が取り外されたとしても、分離部材４１０の下流側４１０ａが、支持部材４１２から大きく離れた状態となることが防止される。このため、両面テープで固定された分離部材４１０が支持部材４１２から外れてしまう等の装置の破壊が生じにくい。
【００３０】
図４には、原稿搬送装置３１０の変形例が示されている。
この変形例に係る原稿搬送装置３１０は、先述の本発明の実施形態に係る原稿搬送装置３１０が有する各部材を有することに加えて潤滑部材４３０を有している。潤滑部材４３０は、分離部材４１０の下流側４１０ａと、支持部材４１２との間に設けられていて、分離部材４１０の原稿搬送方向における伸び縮みを潤滑にする潤滑手段として用いられている。潤滑部材４３０としては、例えば薄紙や樹脂からなるシートを用いることができる。潤滑部材４３０は、分離部材４１０の支持部材４１２側の面に貼り付けても良いし、支持部材４１２の分離部材４１０側の面に貼り付けても良い。また、潤滑部材４３０は、いずれの部材にも貼り付けることなしに、分離部材４１０と支持部材４１２とで挟み込むようにしても良い。
【００３１】
図５には、比較例に係る原稿搬送装置３１０が示されている。
この比較例に係る原稿搬送装置３１０では、分離部材４１０の全面が、支持部材４１２に貼り付けられている。このため、原稿の送り出し中に、分離部材４０１と原稿の間でスティックスリップが生じると、支持部材４１２全体が振動して、異音が発生しやすい。
【００３２】
図６は、発明者が行った本発明の効果を検証する実験結果を示すグラフである。
発明者は以下のような実験を行い効果を確認した。
すなわち、本発明の実施形態に係る画像形成装置１０（図１乃至図３参照）が有する支持部材４１２に、加速度ピックアップ（加速度計、小野測器製：型番ＮＰ３２１０）を分離部材４１０の原稿搬送方向（前後方向）と、搬送ロール３１４との接離方向（上下方向）にそれぞれ貼り付け、給紙動作を行い、分離部材４１０の全面を支持部材４１２に両面テープで貼り付けた構成（図５に示す比較例）と、本発明の構成で加速度ピックアップの出力を比較した。
【００３３】
図６（ａ）は１８０ｍｍ／ｓの送り速度で本発明の構成による実験結果である。図６（ｂ）は１８０ｍｍ／ｓの送り速度で比較例の実験結果である。図６（ｃ）は４７ｍｍ／ｓの送り速度で本発明の実験結果である。図６（ｄ）は４７ｍｍ／ｓの送り速度で比較例の実験結果である。比較例では、図６（ｂ）（ｄ）に破線で囲む領域に示されるように用紙の後半が分離部材４１０を通過するタイミングで前後方向に激しい振動が測定され、異音の発生も観測された。一方本発明の構成では図６（ａ）（ｃ）に示すように振動は抑制されており、異音の発生も観測されなかった。
【００３４】
以上の説明では、原稿読取装置３００が有する原稿搬送装置３１０に発明が適用される例について説明をしたが、給紙装置１３２と給紙装置１５０とに本発明を適用することができる。すなわち、分離部材１３８の用紙搬送方向における上流側を支持部材１４０に固定し、分離部材１３８の用紙搬送方向における下流側を用紙搬送方向において伸び縮み可能なように支持しても良い。また、分離部材１５６の用紙搬送方向における上流側を支持部材１５８の固定し、分離部材１５６の用紙搬送方向における下流側を用紙搬送方向において伸び縮み可能なように支持しても良い。
【産業上の利用可能性】
【００３５】
以上で説明をしたように、本発明は、給紙装置、原稿読取装置、及び画像形成装置に適用することができる。
【図面の簡単な説明】
【００３６】
【図１】本発明の実施形態に係る画像形成装置を示す断面図である。
【図２】本発明の実施形態に係る原稿読取装置を示す断面図である。
【図３】本発明の実施形態に係る原稿搬送装置の要部を示し、図３（ａ）は搬送ロールが装着された状態を示す断面図であり、図３（ｂ）は搬送ロールが取り外された状態を示す断面図である。
【図４】本発明の実施形態に係る原稿搬送装置の変形例を示す断面図である。
【図５】本発明の実施形態に係る原稿搬送装置の比較例を示す断面図である。
【図６】本発明の効果を検証する実験結果を示すグラフである。
【００３７】
１０      画像形成装置
１０８    画像形成部
１３２    給紙装置
１３６    搬送ロール
１３８    分離部材
１４０    支持部材
１５０    給紙装置
１５４    搬送ロール
１５６    分離部材
１５８    支持部材
３００    原稿読取装置
３１０    原稿搬送装置
３１４    搬送ロール
３６０    原稿読取部
４１０    分離部材
４１２    支持部材
４１４    規制部材
４３０    潤滑部材
【図１】
2010076902.tif 000003
【図２】
2010076902.tif 000004
【図３】
2010076902.tif 000005
【図４】
2010076902.tif 000006
【図５】
2010076902.tif 000007
【図６】
2010076902.tif 000008